(57)【特許請求の範囲】
【請求項１】
前面にホルダー出し入れ口を開口して横置き筒形に形成されるカップ・ホルダー・ケーシングと、そのホルダー出し入れ口からそのカップ・ホルダー・ケーシングに出し入れ可能にされてボタン操作でそのホルダー出し入れ口においてそのカップ・ホルダー・ケーシングから押し出されるカップ・ホルダーと、左右の側縁から下面側に左右のフランジを折り曲げ、そして、そのホルダー出し入れ口を前に向けてその左右のフランジの間でその下面にそのカップ・ホルダー・ケーシングを固定的に組み付ける高剛性ケース吊下げプレート、および乗員や荷物によるリア・シート・クッション・ワイヤ・フレームの変形に追従して変形可能にされてその左右のフランジのそれぞれの先端に前後方向に適宜の間隔を置いて外側に折り曲げられ、そして、そのリア・シート・クッション・ワイヤ・フレームに固定的に止められる前後の低剛性取付けフートで構成され、そして、ボタン操作によるそのカップ・ホルダーの押出し動作を確実にするカップ・ホルダー・ブラケットとを含むリア・シート・クッションに用いるプッシュ・フルオープン型カップ・ホルダー・アッセンブリ。
【請求項２】
そのカップ・ホルダー・ブラケットが、そのケース吊下げプレートの上面にＸ字形ビードを突き出して成形する請求項１に記載のリア・シート・クッションに用いるプッシュ・フルオープン型カップ・ホルダー・アッセンブリ。
【発明の詳細な説明】
【０００１】
【発明の関係する分野】
この発明は、自動車のリア・シート・クッションに組み込まれるプッシュ・フルオープン型カップ・ホルダー・アッセンブリに関する。
【０００２】
【背景技術】
通常、自動車のリア・シートでは、カップ・ホルダーはシート・バックのアームレストに組み込まれている。しかし、そのアームレストにはリア・シート・スライドやリクライニングああるいは空調装置のリモート・コントローラなどを内蔵させる場合があり、その場合、そのカップ・ホルダーのスペースがそのアームレストに残されず、やむなくそのカップ・ホルダーはリア・シート・クッションに組み込まれる。
ところが、そのリア・シート・クッションは、そのアームレストと異なり、フレーム・サイズがはるかに大きいので、取付け箇所の精度が出難い場合がある。また、そのリア・シート・クッションは、シート・クッション・ワイヤ・フレームを用いて構成されることが多く、精度出しはさらに困難になる。さらに、そのリア・シート・クッションは、乗員や荷物による負荷が大きく、着座時などにそのワイヤ・フレームが弾性変形されると、カップ・ホルダー・ブラケットもそれに追従して変形されてそのカップ・ホルダーが動作しなくなる場合がある。
【０００３】
【発明の課題】
この発明の課題は、リア・シート・クッションが変形してもカップ・ホルダーがそのリア・シート・クッションの前面に確実に押し出され、そして、所定の機能を果たすところのリア・シート・クッションに用いるプッシュ・フルオープン型カップ・ホルダー・アッセンブリの提供にある。
【０００４】
【課題に相応する手段およびそれの作用】
この発明は、前面にホルダー出し入れ口を開口して横置き筒形に形成されるカップ・ホルダー・ケーシングと、そのホルダー出し入れ口からそのカップ・ホルダー・ケーシングに出し入れ可能にされてボタン操作でそのホルダー出し入れ口においてそのカップ・ホルダー・ケーシングから押し出されるカップ・ホルダーと、左右の側縁から下面側に左右のフランジを折り曲げ、そして、そのホルダー出し入れ口を前に向けてその左右のフランジの間でその下面にそのカップ・ホルダー・ケーシングを固定的に組み付ける高剛性ケース吊下げプレート、およびリア・シート・クッション・ワイヤ・フレームの変形に追従して変形可能にされてその左右のフランジのそれぞれの先端に前後方向に適宜の間隔を置いて外側に折り曲げられ、そして、そのリア・シート・クッション・ワイヤ・フレームに固定的に止められる前後の低剛性取付けフートで構成されるカップ・ホルダー・ブラケットとを含み、そして、そのリア・シート・クッション・ワイヤ・フレームが変形するとき、のカップ・ホルダー・ブラケットがそのケース吊下げプレートで剛性を保ってその取付けフートでそのリア・シート・クッション・ワイヤ・フレームの変形を吸収し、そして、そのカップ・ホルダーをリア・シート・クッションの前面に確実に押し出し可能にしてそのカップ・ホルダーに所定の機能をさせる。
【０００５】
【具体例の説明】
以下、特定されて図示された具体例に基づいて、この発明のリア・シート・クッションに用いるプッシュ・フルオープン型カップ・ホルダー・アッセンブリを説明するに、図１ないし図３は、乗用車のリア・シートにおいてリア・シート・クッション４０に組み込まれるところのこの発明のリア・シート・クッションに用いるプッシュ・フルオープン型カップ・ホルダー・アッセンブリの具体例１０を示し、そして、このプッシュ・フルオープン型カップ・ホルダー・アッセンブリ１０では、カップ・ホルダー・ケーシング１１が、前面にホルダー出し入れ口２１を開口して硬質樹脂で横置き筒形に成形され、また、カップ・ホルダー１２が、硬質樹脂で成形されてそのホルダー出し入れ口２１からそのカップ・ホルダー・ケーシング１１に出し入れ可能にはめ合わせられ、そして、操作ボタン１５が押されると、スプリング（図示せず）によってそのカップ・ホルダー・ケーシング１１からそのホルダー出し入れ口２１に押し出され、さらに、カップ・ホルダー・ブラケット１３が、左右の側縁２８、２９から下面２７の側に左右のフランジ３０、３１を折り曲げ、そして、そのホルダー出し入れ口２１を前に向けてその左右のフランジ３０、３１の間でその下面２７にそのカップ・ホルダー・ケーシング１１を固定的に組み付ける高剛性ケース吊下げプレート２５、およびリア・シート・クッション・ワイヤ・フレーム４２の変形に追従して変形可能にされてその左右のフランジ３０、３１のそれぞれの先端に前後方向に適宜の間隔を置いて外側に折り曲げられ、そして、そのリア・シート・クッション・ワイヤ・フレーム４２に固定的に止められる前後の低剛性取付けフート３２、３３および３２、３３で構成される。
【０００６】
そのカップ・ホルダー・ケーシング１１は、そのホルダー出し入れ口２１にフィニッシャ１４を備え、そして、そのフィニッシャ１４にその操作ボタン１５を配置し、また、４本の植込みねじ２２を上壁２０の外側に突き出して一体的に成形され、そして、その４本の植込みねじ２２をその高剛性ケース吊下げプレート２５の４個のねじ穴３５に差し込んで４個のスピード・ナット２３でその高剛性ケース吊下げプレート２５に締め付けられてそのカップ・ホルダー・ブラケット１３に固定的に組み付けられる。
【０００７】
このカップ・ホルダー・ケーシング１１は、そのスプリングを内蔵し、そして、その操作ボタン１５が押されると、そのスプリングを動作させてそのスプリングでそのホルダー出し入れ口２１から外にそのカップ・ホルダー１２を押し出す。
【０００８】
そのカップ・ホルダー１２は、カップ立て穴２４を備えて中空テーブル形に設計され、そして、カップ、缶入り飲料水、および瓶入り飲料水などを倒れ止して乗せる。
【０００９】
そのカップ・ホルダー・ブラケット１３は、所定の厚さの鋼板からプレス加工され、そして、エンボス成形でそのケース吊下げプレート２５の上面２６にX字形ビード３４を突起させ、その左右のフランジ３１に加えてそのX字形ビード３４で剛性をさらに上げている。また、そのカップ・ホルダー・ブラケット１３は、その取付けフート３２、３３および３２、３３を曲げ変形され易い形状でその左右のフランジ３０、３１に一体的に曲げ加工し、そして、その取付けフート３２、３３および３２、３３を低剛性にしている。
【００１０】
したがって、そのカップ・ホルダー・アッセンブリ１０は、予め、そのカップ・ホルダー・ケーシング１１がそのカップ・ホルダー・ブラケット１３のそのケース吊下げプレート２５のその４個のねじ穴３５にその４本の植込みねじ２２を差し込んでその植込みねじ２２にそのスピード・ナット２３をねじ結合させて締め付けてその左右のフランジ３０、３１の間でそのケース吊下げプレート２５のその下面２７に固定的に取付けられ、そして、そのカップ・ホルダー１２がそのホルダー出し入れ口２１からそのカップ・ホルダー・ケーシング１１内にはめ込まれてプッシュ・フルオープン型に組み立てられ、それから、４本のタッピングねじ３７でそのリア・シート・クッション・ワイヤ・フレーム４２の４個のカップ・ホルダー座４３に締め付けられてそのリア・シート・クッション・ワイヤ・フレーム４２に組み込まれる。
【００１１】
このプッシュ・フルオープン型カップ・ホルダー・アッセンブリ１０では、そのリア・シート・クッション４０／そのリア・シート・クッション・ワイヤ・フレーム４２が乗員や荷物で変形されるとき、そのカップ・ホルダー・ブラケット１３がそのケース吊下げプレート２５で剛性を保ってその取付けフート３２、３３および３２、３３でそのリア・シート・クッション４０／そのリア・シート・クッション・ワイヤ・フレーム４２の変形に追従して変形し、そのリア・シート・クッション４０／そのリア・シート・クッション・ワイヤ・フレーム４２の変形を吸収し、そして、ボタン操作でそのカップ・ホルダー・ケーシング１１の中からそのリア・シート・クッション４０の前面４１にそのカップ・ホルダー１３を確実に押し出してそのカップ・ホルダー１３に所定の機能をさせる。
【００１２】
先に図面を参照して説明されたところのこの発明の特定された具体例から明らかであるように、この発明の属する技術分野における通常の知識を有する者にとって、この発明の内容は、その発明の性質（ｎａｔｕｒｅ）および本質（ｓｕｂｓｔａｎｃｅ）に由来し、そして、それらを内在させると客観的に認められる別の態様に容易に具体化される。勿論、この発明の内容は、その発明の課題に相応し（ｂｅ  ｃｏｍｍｅｎｓｕｒａｔｅ  ｗｉｔｈ）、そして、その発明の成立に必須である。
【００１３】
【発明の便益】
上述から理解されるように、この発明のリア・シート・クッションに用いるプッシュ・フルオープン型カップ・ホルダー・アッセンブリは、前面にホルダー出し入れ口を開口して横置き筒形に形成されるカップ・ホルダー・ケーシングと、そのホルダー出し入れ口からそのカップ・ホルダー・ケーシングに出し入れ可能にされてボタン操作でそのホルダー出し入れ口においてそのカップ・ホルダー・ケーシングから押し出されるカップ・ホルダーと、左右の側縁から下面側に左右のフランジを折り曲げ、そして、そのホルダー出し入れ口を前に向けてその左右のフランジの間でその下面にそのカップ・ホルダー・ケーシングを固定的に組み付ける高剛性ケース吊下げプレート、およびリア・シート・クッション・ワイヤ・フレームの変形に追従して変形可能にされてその左右のフランジのそれぞれの先端に前後方向に適宜の間隔を置いて外側に折り曲げられ、そして、そのリア・シート・クッション・ワイヤ・フレームに固定的に止められる前後の低剛性取付けフートで構成されるカップ・ホルダー・ブラケットとを含むリア・シート・クッションに用いるプッシュ・フルオープン型カップ・ホルダー・アッセンブリでは、そのリア・シート・クッション・ワイヤ・フレームが乗員や荷物で変形されるとき、そのカップ・ホルダ・ブラケットがそのケース吊下げプレートで剛性を保っ  てその取付けフートでそのリア・シート・クッション・ワイヤ・フレームの変形に追従して変形し、そのリア・シート・クッション・ワイヤ・フレームの変形を吸収し、そして、そのカップ・ホルダーがボタン操作でそのカップ・ホルダー・ケーシング内からリア・シート・クッションの前面に確実に押し出されて所定の機能をし、その結果、リア・シートにとって非常に有用で実用的である。
【図面の簡単な説明】
【図１】この発明のリア・シート・クッションに用いるプッシュ・フルオープン型カップホルダー・アッセンブリの具体例を組み込むところの乗用車のリア・シートのリア・シート・クッションを示した斜視図である。
【図２】そのカップ・ホルダー・アッセンブリを示した斜視図である。
【図３】そのリア・シート・クッションのリア・シート・クッション・ワイヤ・フレームに関連してそのカップ・ホルダー・アッセンブリを示した分解斜視図である。
【符号の説明】
１１  カップ・ホルダー・ケーシング
１２  カップ・ホルダー
１３  カップ・ホルダー・ブラケット
１４  フィニッシャ
１５  操作ボタン
２１  ホルダー出し入れ口
２４  カップ立て穴
２５  高剛性ケース吊下げプレート
２７  下面
２８  左の側縁
２９  右の側縁
３０  左のフランジ
３１  右のフランジ
３２  前の低剛性取付けフート
３３  後の低剛性取付けフート
３４  X字形ビード
４２  リア・シート・クッション・ワイヤ・フレーム
【図１】
0003715274.tif 000002
【図２】
0003715274.tif 000003
【図３】
0003715274.tif 000004